(57)【要約】【課題】  施工し易く、床仕上げ材を補正や補修や交換し易い床構造と、この床構造に施工する施工方法を提供することである。【解決手段】  床下地材（床暖房パネル）３と床仕上げ材４とを、床下地材３に取り付けた面ファスナー５−１と床仕上げ材４に取り付けた面ファスナー５−２で固定した床構造である。そして、床下地材側の面ファスナー５−１は、床下地材３の上面に長尺の床仕上げ材４の長さ以下の距離を隔てて略平行に取り付けた複数個のテープ状の長尺体であり、床仕上げ材側の面ファスナー５−２は、長尺の床仕上げ材４の下面に長さ方向に取り付けたテープ状の長尺体であり、この床下地材側の面ファスナー５−１と床仕上げ材側の面ファスナー５−２とが互いに略直交する方向になるように配置している。【選択図】          図２
2005226357.tif 000002
【特許請求の範囲】
【請求項１】
床下地材とこの床下地材の上の長尺の床仕上げ材とが、床下地材に取り付けられた面ファスナーと床仕上げ材に取り付けられた面ファスナーで固定された床構造であって、前記床下地材側の面ファスナーは、床下地材の上面に長尺の床仕上げ材の長さ以下の距離を隔てて略平行に取り付けられた複数個のテープ状の長尺体であり、前記床仕上げ材側の面ファスナーは、長尺の床仕上げ材の下面に長さ方向に取り付けられたテープ状の長尺体であり、この床下地材側の面ファスナーと床仕上げ材側の面ファスナーとが互いに略直交する方向に配置されていることを特徴とする床構造。
【請求項２】
前記長尺の床仕上げ材は、両側の端面にさねを有する長さが９０ｃｍ以上、幅が２０ｃｍ以上の板体であり、前記床仕上げ材側の面ファスナーは、床仕上げ材の両側の縁より離れた位置に取り付けられ、前記床下地材側の面ファスナーと床仕上げ材側の面ファスナーの幅は、１０ｃｍ以下であることを特徴とする請求項１に記載の床構造。
【請求項３】
短辺が壁に接する前記床仕上げ材には、壁に接する短辺近傍の下面に幅方向にテープ状の壁側の面ファスナーが取り付けられていることを特徴とする請求項１または請求項２に記載の床構造。
【請求項４】
床下地材の上面には、複数個のテープ状の面ファスナーを床仕上げ材の長さ以下の距離を隔てて略平行に取り付け、長尺の床仕上げ材の下面には、テープ状の面ファスナーを長さ方向に取り付け、床下地材の上に長尺の床仕上げ材を、床下地材側の面ファスナーと床仕上げ材側の面ファスナーとが互いに略直交する状態に、並べながら敷設して床下地材の上に複数個の床仕上げ材を固定することを特徴とする床の施工方法。
【請求項５】
床下地材の上面には、複数個のテープ状の面ファスナーを床仕上げ材の長さ以下の距離を隔てて略平行に取り付け、側縁の端面にさねを有する長尺の床仕上げ材の下面には、両側の縁より離れた位置にテープ状の面ファスナーを長さ方向に、取り付け、床仕上げ材を斜めにし、且つ、床下地材側の面ファスナーと床仕上げ材側の面ファスナーとが互いに略直交する状態にして、床仕上げ材の側縁を、床下地材の上の既に敷設されている床仕上げ材の側縁の手前に当接させ、この床仕上げ材を前進させて床仕上げ材のさねと既に敷設されている床仕上げ材のさねとを嵌合させながら、床下地材の上に倒して固定することを繰り返して、床下地材の上に複数個の床仕上げ材を敷設することを特徴とする床の施工方法。
【発明の詳細な説明】
【技術分野】
【０００１】
本発明は、床構造及びこの床構造に施工する床の施工方法に関する。
特に、床暖房用床に好適な床構造及びこの床構造に施工する床の施工方法に関する。
【背景技術】
【０００２】
従来の床構造は、床板の上に床仕上げ材を取り付けた構造をしている。
そして、この床仕上げ材としては種々あるが、多く使用されている床仕上げ材としては、特許文献１の従来の技術に記載あるように、両側の端面にさねを設けたものが多く使用されている。
そして、この床仕上げ材を施工する方法としては、このさねを嵌合させながら床材の上に敷設し、床仕上げ材の上から床板に釘等を打ち付けたり、床板の上に床仕上げ材を接着剤等で接着することが行われている。
【０００３】
しかし、釘等を打ち付ける方法では、多数の釘を打ち付けるために施工に手間がかかるし、床を補修したり床仕上げ材を交換するときや誤ってずれた位置に取り付けた床仕上げ材を補正するとき等に釘を一本ずつ抜いて床仕上げ材を剥がす必要があり不便であった。
また、接着剤等で接着する方法では、接着剤を刷毛等を用いて塗布するために作業が面倒であるし、塗布むらが生じる。しかも、接着剤が少ないときには、剥がれ易いし、多いときには、強固に接着するが、床の補修や床仕上げ材の交換や補正のとき等に床仕上げ材を剥がし難く、無理に剥がすと床仕上げ材や床暖房パネルが破損する。
【０００４】
一方、床暖房は床面から温まり、部屋の上部と下部の温度差が少なく、従って、極めて快適であり熱効率もよいので、最近多く採用されている。
この床暖房は、特許文献２に記載あるように、通常、温水パイプ等の発熱体を取り付けた床暖房パネルの上に床仕上げ材を取り付けた床構造になっている。
そして、この床暖房パネルに床仕上げ材を取り付ける方法としては、通常の床構造と同様に、床仕上げ材の上から床暖房パネルに釘等を打ち付けたり、床暖房パネルの上に床仕上げ材を接着剤等で接着することが行われていた。
【０００５】
かかる床暖房では、通常の床構造と同様な問題があるし、更に、釘等を打ち付けるときに、床暖房パネルの中には発熱体があるので、誤って発熱体に釘を打ち込むことがある。また、発熱体があるだけ、通常の床構造より故障が多く、そのために、床仕上げ材を剥がす機会が多い。
かかる問題を解決する方法として、特許文献３や特許文献４に記載あるように、マジックテープ（登録商標）といわれている面ファスナーを使用して床仕上げ材を床暖房パネルに取り付ける方法が知られている。
【０００６】
ここで使用する面ファスナーとは基材の表面からループ状の係止片とフック状の係止片が多数突出したものであり、床暖房パネルの上面と床仕上げ材の下面に面ファスナーを取り付け、床暖房パネルの上に床仕上げ材を敷設するだけで、ループ状の係止片とフック状の係止片とが係止し合って、床暖房パネルの上に床仕上げ材を強固に固定することができるので、施工が極めて簡単であるし、補修や補正や交換の際にも、床仕上げ材を強く引き上げるとループ状の係止片からフック状の係止片が外れて剥がすことができ、接着剤で床暖房パネルに床仕上げ材を接着した床暖房用床構造より剥がし易く、極めて便利である。
【０００７】
【特許文献１】特開２０００−２５７２４５号公報
【特許文献２】特開２０００−３４５６９４号公報
【特許文献３】特開平７−６２８４３号公報
【特許文献４】特開平１０−８８７７７号公報
【発明の開示】
【発明が解決しようとする課題】
【０００８】
しかしながら、上記特許文献３と特許文献４に記載されているような従来の面ファスナーで固定する方法では、床暖房パネルの上面の略全面に面ファスナーを取り付け、床仕上げ材の下面の温水パイプの部分を除いた略全面に面ファスナーを取り付けているので、床仕上げ材の下面の略全面が固定される。従って、上記のように、補修や補正や交換等の際に、接着剤で床仕上げ材を床暖房パネルに接着したときより剥がし易いが、それでも尚、床仕上げ材を剥がし難く、補正や補修や交換し難いという問題がある。
【０００９】
更に、多くの床仕上げ材は、特許文献１に記載あるように、両側の端面にさねを有していて、床暖房パネルの上に敷設する場合には、床仕上げ材を既に敷設されている床仕上げ材の側縁の手前に斜めにして当接させ、この床仕上げ材を前進させて床仕上げ材のさねと既に敷設されている床仕上げ材のさねとを嵌合させながら、床暖房パネルの上に倒す方法で、床材を敷設している。
【００１０】
しかし、このさねを有する床仕上げ材では、既に敷設されている床仕上げ材の若干手前の床暖房パネルの上に床仕上げ材を当接させるときに、床仕上げ材側の面ファスナーの係止片と床暖房パネル側の面ファスナー係止片とが係止し合って、前進させ難く施工し難いという問題がある。
この問題は、特許文献３や特許文献４に記載されているような床暖房だけに限らず、通常の床構造においても、比較的施工し易く、剥がし易い面ファスナーで床仕上げ材を床材に固定しようとすると、同様な問題が存在する。
【００１１】
なお、特許文献１に記載ある床仕上げ材は両側の端面に設けられているさねの構造が複雑であるので、製造し難いし、さねの突出片が幅狭で破損し易い。更に、床仕上げ材が床材に固定されてないので浮き上がり易いという問題がある。
面ファスナーのかかる問題を解決しようと、種々研究した結果、床仕上げ材が床暖房パネルや床材等の床下地材の上に載置されているだけであるので、左右にずれないだけの固定力があれば十分であり、具体的には、床仕上げ材側の面ファスナーと床暖房パネルや床材側の面ファスナーとの接触面積が、従来の２〜３％であれば十分であり、しかも、接触面積を少なくすることにより剥がし易くなるということが判明した。
【００１２】
かかる知見に基づき、床暖房パネルや床等の床下地材の上面の一部分に面ファスナーを取り付けると同時に、床仕上げ材の下面の一部分にも、この床下地材側の面ファスナーに対峙する位置に、面ファスナーを取り付けて、床仕上げ材を床下地材に敷設することを試みたが、床暖房パネルや床材側の面ファスナーと床仕上げ材側の面ファスナーとを合わせることが困難で施工し難いことが判明した。
そこで、本発明は、かかる知見に基づき、施工し易く、しかも、床仕上げ材を補正や補修や交換し易い床構造と、この床構造に施工する床の施工方法を提供することである。
【課題を解決するための手段】
【００１３】
本発明は上記目的を達成するためになされたものであって、請求項１記載の発明は、床下地材とこの床下地材の上の長尺の床仕上げ材とが、床下地材に取り付けられた面ファスナーと床仕上げ材に取り付けられた面ファスナーで固定された床構造であって、前記床下地材側の面ファスナーは、床下地材の上面に長尺の床仕上げ材の長さ以下の距離を隔てて略平行に取り付けられた複数個のテープ状の長尺体であり、前記床仕上げ材側の面ファスナーは、長尺の床仕上げ材の下面に長さ方向に取り付けられたテープ状の長尺体であり、この床下地材側の面ファスナーと床仕上げ材側の面ファスナーとが互いに略直交する方向に配置されている床構造を特徴とするものである。
【００１４】
本発明における床下地材とは、床仕上げ材を敷設するための下地材をいい、具体的には、特許文献１や特許文献２の床材や特許文献３や特許文献４の床暖房パネルが含まれる。
また、長尺の床仕上げ材としては、特に限定はない。例えば、特許文献１や特許文献２に記載されているような、両側の端面にさねを有する板体であってもよいし、さねを有しない板体であってもよい。また、大きさも特に限定がないが、通常の床仕上げ材は、請求項２に記載のように、長さが９０ｃｍ以上、幅が２０ｃｍ以上の板体である場合が多く、特に、長さが略１８０ｃｍ、幅が略３０ｃｍの板体が最も多い。
【００１５】
また、面ファスナーとは基材の表面からループ状の係止片とフック状の係止片が多数突出したものであって、床下地材の上面と床仕上げ材の下面に面ファスナーを取り付け、この床下地材の上に床仕上げ材を敷設すると、一方のループ状の係止片に他方のフック状の係止片が係止し合って、床下地材の上に床仕上げ材を強固に固定することができ、しかも、床仕上げ材を強く引き上げるとループ状の係止片からフック状の係止片が外れて、床仕上げ材を床下地材から剥がすことができるものである。
【００１６】
このテープ状の面ファスナーとしては、適宜の幅のものが使用できるが、余り大きくなると剥がし難くなるので、請求項２に記載されているように、幅が１０ｃｍ以下が好ましく、特に、５ｃｍ以下が好ましい。
床仕上げ材の下面に設ける面ファスナーの数は適宜でよいが、通常、１本または２本でよい。また、この面ファスナーは長さ方向に取り付ければよく、幅方向のどこに取り付けてもよいが、両側の端面にさねを有する板体の場合には、請求項２に記載されているように、両側の縁より離れた位置に取り付けると、施工し易くなるので好ましい。
【００１７】
また、床下地材の上面に設ける面ファスナー間の距離は、長尺の床仕上げ材の長さ以下にする必要がある。これは、床下地材側の面ファスナーと床仕上げ材側の面ファスナーとが互いに略直交する方向に配置したときに、両方の面ファスナーが必ず交差し、両方の面ファスナーの係止片が係止し合って、床下地材の上面に床仕上げ材を固定することができるようにするためである。長尺の床仕上げ材の長さは、通常、９０ｃｍ以上あるので、この略平行な面ファスナー間の距離は９０ｃｍ以下が好ましく、特に、２０〜５０ｃｍが好ましい。
【００１８】
そして、床仕上げ材側の面ファスナーと床下地材側の面ファスナーとが交差する場所の面積が、床仕上げ材の面積の２〜１０％になるように面ファスナーを設けると、固定でき、しかも、剥がし易くなるので、好ましい。
このようにするには、床下地材の上面に設ける略平行な面ファスナー間の距離や床仕上げ材の下面に設ける面ファスナーの数を増減するとよい。
【００１９】
請求項２記載の発明は、請求項１に記載の発明に係り、前記長尺の床仕上げ材は、両側の端面にさねを有する長さが９０ｃｍ以上、幅が２０ｃｍ以上の板体であり、前記床仕上げ材側の面ファスナーは、床仕上げ材の両側の縁より離れた位置に取り付けられ、前記床下地材側の面ファスナーと床仕上げ材側の面ファスナーの幅は、１０ｃｍ以下である。
【００２０】
請求項３記載の発明は、請求項１または請求項２に記載の発明に係り、短辺が壁に接する前記床仕上げ材には、壁に接する短辺近傍の下面に幅方向にテープ状の壁側の面ファスナーが取り付けられているものである。
【００２１】
請求項４記載の発明は、床下地材の上面には、複数個のテープ状の面ファスナーを床仕上げ材の長さ以下の距離を隔てて略平行に取り付け、長尺の床仕上げ材の下面には、テープ状の面ファスナーを長手方向に取り付け、床下地材の上に長尺の床仕上げ材を、床下地材側の面ファスナーと床仕上げ材側の面ファスナーとが互いに略直交する状態に、並べながら敷設して床下地材の上に複数個の床仕上げ材を固定する床の施工方法を特徴とするものである。
【００２２】
この請求項４記載の床の施工方法における床仕上げ材の設置方法は適宜でよい。例えば、既に敷設されている床仕上げ材の隣に、上方から載置して固定してもよいし、床仕上げ材を斜めにして、既に敷設されている床仕上げ材の端面に当接させ、この床仕上げ材を倒して固定してもよい。
具体的には、さねを有しない床仕上げ材の場合には、既に敷設されている床仕上げ材の隣に、上方から載置して固定することが好ましいし、さねを有する床仕上げ材の場合には、請求項５記載の発明のように、床仕上げ材を斜めにして、既に敷設されている床仕上げ材の端面に設けられているさねと床仕上げ材のさねとを嵌合させながら、床仕上げ材を床下地材の上に倒すようにして敷設して固定することが好ましい。
【００２３】
請求項５記載の発明は、床下地材の上面には、複数個のテープ状の面ファスナーを床仕上げ材の長さ以下の距離を隔てて略平行に取り付け、側縁の端面にさねを有する長尺の床仕上げ材の下面には、両側の縁から離れた位置にテープ状の面ファスナーを長さ方向に、取り付け、床仕上げ材を斜めにし、且つ、床下地材側の面ファスナーと床仕上げ材側の面ファスナーとが互いに略直交する状態にして、床仕上げ材の側縁を、床下地材の上に既に敷設されている床仕上げ材の側縁の手前に当接させ、この床仕上げ材を前進させて床仕上げ材のさねと既に敷設されている床仕上げ材のさねとを嵌合させながら、床下地材の上に倒して固定することを繰り返して、床下地材の上に複数個の床仕上げ材を敷設する床の施工方法を特徴とするものである。
（作用）
【００２４】
請求項１記載の発明では、床下地材とこの床下地材の上の長尺の床仕上げ材とが、床下地材に取り付けられた面ファスナーと床仕上げ材に取り付けられた面ファスナーで固定された床構造であって、前記床下地材側の面ファスナーは、床下地材の上面に長尺の床仕上げ材の長さ以下の距離を隔てて略平行に取り付けられた複数個のテープ状の長尺体であり、前記床仕上げ材側の面ファスナーは、長尺の床仕上げ材の下面に長さ方向に取り付けられたテープ状の長尺体であり、この床下地材側の面ファスナーと床仕上げ材側の面ファスナーとが互いに略直交する方向に配置されているので、略直交する方向に配置されている床下地材側の面ファスナーと床仕上げ材側の面ファスナーとは、必ず交差し、面ファスナーの位置を気にすることなく施工することができ、施工し易い構造である。
【００２５】
また、この床構造では、床下地材の上に床仕上げ材が、この交差する場所だけで固定されている。即ち、小面積で固定されていて床仕上げ材を剥がし易い状態になっている。
従って、この床仕上げ材を剥がして補修したり、誤ってずれた位置に取り付けられた床仕上げ材を剥がして正しい位置に補正したり、新しい床仕上げ材に交換することが簡単にできる。
【００２６】
請求項２記載の発明では、請求項１に記載の発明に係り、前記長尺の床仕上げ材は、両側の端面にさねを有する長さが９０ｃｍ以上、幅が２０ｃｍ以上の板体であり、前記床仕上げ材側の面ファスナーは、床仕上げ材の両側の縁より離れた位置に取り付けられ、前記床下地材側の面ファスナーと床仕上げ材側の面ファスナーの幅は、１０ｃｍ以下であるので、請求項１記載の発明と同様に、略直交する方向に配置されている床下地材側の面ファスナーと床仕上げ材側の面ファスナーとは、必ず交差し、面ファスナーの位置を気にすることなく施工することができ、施工し易い構造である。
【００２７】
しかも、略直交する床仕上げ材側の面ファスナーと床下地材側の面ファスナーの交差した場所の１箇所の接触面積は略１００ｃｍ2 以下であり、この場所が複数個あっても、全体からみて極めて小さく床仕上げ材を剥がし易く、床仕上げ材がずれない状態に固定されている。また、敷設された床パネルの側縁には面ファスナーがなく、この面ファスナーのない場所に指やバールの先端等を入れて床仕上げ材を側縁を持ち上げ易い状態になっている。
従って、この床仕上げ材を剥がして補修したり、誤ってずれた位置に取り付けられた床仕上げ材を剥がして正しい位置に補正したり新しい床仕上げ材に交換することが簡単にできる。
【００２８】
また、この請求項２記載の発明では、両側の端面にさねを有する床仕上げ材であるが、次に示すように施工することにより、両方の面ファスナーの係止片が係止し合うことなく、既に敷設されている床仕上げ材のさねと床仕上げ材のさねとを嵌合させて、複数個の床仕上げ材を簡単に敷設することができる。
即ち、床仕上げ材を斜めにして側縁を床下地材の上の既に敷設されている床仕上げ材の手前に当接させ、この床仕上げ材を前進させる。
すると、この床仕上げ材の両側の縁より離れた位置に取り付けられていて、側縁には面ファスナーがないので、両方の面ファスナーの係止片が係止し合うことなく、床仕上げ材を簡単に前進させることができる。
【００２９】
そして、このように床仕上げ材を前進させて、床仕上げ材のさねと既に敷設されている床仕上げ材のさねとを嵌合しながら、床下地材の上に倒す。
すると、床仕上げ材の下面に取り付けられている面ファスナーの係止片と床下地材の上面に取り付けられている面ファスナーの係止片とが係止し合って、床仕上げ材が床下地材上に固定される。
この操作を繰り返すことで簡単に複数個の床仕上げ材を床下地材の上面に敷設することができる。
【００３０】
請求項３記載の発明では、請求項１または請求項２に記載の発明に係り、短辺が壁に接する前記床仕上げ材には、壁に接する短辺近傍の下面に幅方向にテープ状の壁側の面ファスナーが取り付けられているので、請求項１または請求項２に記載の発明の作用に加えて、長辺が壁に接する床仕上げ材の長さ方向には、テープ状の床仕上げ材側の面ファスナーが存在し、短辺が壁に接する床仕上げ材の幅方向には、テープ状の壁側の面ファスナーが存在し、この両者によって、床仕上げ材の壁に接する部分近傍のすべてに面ファスナーが存在することになり、塵等が床の周囲から床仕上げ材と床下地材との間に入り難くなっている。従って、この床仕上げ材と床下地材との間が汚れず衛生的である。
【００３１】
請求項４記載の発明では、床下地材の上面には、複数個のテープ状の面ファスナーを床仕上げ材の長さ以下の距離を隔てて略平行に取り付け、長尺の床仕上げ材の下面には、テープ状の面ファスナーを長手方向に取り付け、床下地材の上に長尺の床仕上げ材を、床下地材側の面ファスナーと床仕上げ材側の面ファスナーとが互いに略直交する状態に、並べながら敷設して床下地材の上に複数個の床仕上げ材を固定するので、このように施工することにより、直交している床下地材側の面ファスナーと床仕上げ材側の面ファスナーとは必ず交差し、この交差している場所のみが固定される。従って、床下地材側の面ファスナーと床仕上げ材側の面ファスナーの位置を気にすることなく施工することができ、施工し易い。
しかも、交差している面積は小さく、床仕上げ材がずれることなく、しかも、床仕上げ材を剥がし易い状態になっている。従って、補修や補正や交換し易い。
【００３２】
請求項５記載の発明では、床下地材の上面には、複数個のテープ状の面ファスナーを床仕上げ材の長さ以下の距離を隔てて略平行に取り付け、側縁の端面にさねを有する長尺の床仕上げ材の下面には、両側の縁から離れた位置にテープ状の面ファスナーを長さ方向に、取り付け、床仕上げ材を斜めにし、且つ、床下地材側の面ファスナーと床仕上げ材側の面ファスナーとが互いに略直交する状態にして、床仕上げ材の側縁を、床下地材の上に既に敷設されている床仕上げ材の側縁の手前に当接させ、この床仕上げ材を前進させて床仕上げ材のさねと既に敷設されている床仕上げ材のさねとを嵌合させながら、床下地材の上に倒して固定することを繰り返して、床下地材の上に複数個の床仕上げ材を敷設するので、請求項４に記載の発明と同様に、床仕上げ材がずれず、しかも、床仕上げ材を剥がし易い状態になっていて、補修やや交換や補正を行い易い。しかも、請求項４に記載の発明と同様に、両方の面ファスナーが必ず交差し、面ファスナーの位置を気にすることなく施工できるし、次に示すように施工すると、床仕上げ材側の面ファスナーの係止片と床下地材側の面ファスナーの係止片とを絡ませることなく、既に敷設されている床仕上げ材のさねと床仕上げ材のさねとを嵌合させて複数個の床仕上げ材を敷設することができ、極めて施工し易い。
【００３３】
即ち、先ず、床下地材の上面には、複数個のテープ状の面ファスナーを床仕上げ材の長さ以下の距離を隔てて略平行に取り付け、側縁の端面にさねを有する長尺の床仕上げ材の下面には、両側の縁から離れた位置にテープ状の面ファスナーを長さ方向に取り付ける。
そして、床下地材側の面ファスナーとが互いに略直交する状態にして、床仕上げ材を斜めにし、床仕上げ材の側縁を床下地材の上の既に敷設されている床仕上げ材の手前に当接させ、この床仕上げ材を前進させる。
すると、この側縁には面ファスナーが設けられていないので、床仕上げ材側の面ファスナーの係止片と床下地材側の面ファスナーの係止片とが係止し合うことなく、床仕上げ材を面ファスナーが設けられている床下地材の上を前進させることができる。
【００３４】
そして、このように床仕上げ材を前進させて、床仕上げ材のさねと既に敷設されている床仕上げ材のさねとを嵌合させながら、床下地材の上に倒す。
すると、床仕上げ材の下面に取り付けられている床仕上げ材側の面ファスナーの係止片と床下地材の上面に取り付けられている床下地材側の面ファスナーの係止片とが係止し合って、床仕上げ材が床下地材の上に固定される。
この操作を繰り返すことで簡単に複数個の床仕上げ材を床下地材の上面に敷設することができる。
【発明の効果】
【００３５】
以上説明したように、請求項１記載の発明は、床下地材とこの床下地材の上の長尺の床仕上げ材とが、床下地材に取り付けられた面ファスナーと床仕上げ材に取り付けられた面ファスナーで固定された床構造であって、前記床下地材側の面ファスナーは、床下地材の上面に長尺の床仕上げ材の長さ以下の距離を隔てて略平行に取り付けられた複数個のテープ状の長尺体であり、前記床仕上げ材側の面ファスナーは、長尺の床仕上げ材の下面に長さ方向に取り付けられたテープ状の長尺体であり、この床下地材側の面ファスナーと床仕上げ材側の面ファスナーとが互いに略直交する方向に配置されているから、面ファスナーの位置を気にすることなく施工することができ、施工し易いし、床仕上げ材を簡単に剥がすことができ、補修したり、誤ってずれた位置に取り付けられた床仕上げ材を正しい位置に補正したり、新しい床仕上げ材に交換することが簡単にできる。
【００３６】
請求項２記載の発明は、請求項１に記載の発明に係り、前記長尺の床仕上げ材は、両側の端面にさねを有する長さが９０ｃｍ以上、幅が２０ｃｍ以上の板体であり、前記床仕上げ材側の面ファスナーは、床仕上げ材の両側の縁より離れた位置に取り付けられ、前記床暖房側の面ファスナーと床仕上げ材側の面ファスナーの幅は、１０ｃｍ以下であるから、固定した床仕上げ材が移動しないし、床仕上げ材を床下地材から剥がし易い状態になっていて、補修や交換や補正を行い易い。また、面ファスナーの位置を気にする必要がなく、しかも、床仕上げ材側の面ファスナーの係止片と床下地材側の面ファスナーの係止片とを係止し合せることなく既に敷設されている床仕上げ材のさねと床仕上げ材のさねとを嵌合させて、複数個の床仕上げ材を敷設することができ、施工し易い。
【００３７】
請求項３記載の発明は、請求項１または請求項２に記載の発明に係り、短辺が壁に接する前記床仕上げ材には、壁に接する短辺近傍の下面に幅方向にテープ状の壁側の面ファスナーが取り付けられているから、請求項１または請求項２に記載の発明の効果に加えて、床仕上げ材の壁に接する部分近傍のすべてに面ファスナーが存在することになり、床の周囲から塵等が床仕上げ材と床下地材との間に入り難くなっている。従って、この床仕上げ材と床下地材との間が汚れず衛生的である。
【００３８】
請求項４記載の発明は、床下地材の上面には、複数個のテープ状の面ファスナーを床仕上げ材の長さ以下の距離を隔てて略平行に取り付け、長尺の床仕上げ材の下面には、テープ状の面ファスナーを長手方向に取り付け、床下地材の上に長尺の床仕上げ材を、床下地材側の面ファスナーと床仕上げ材側の面ファスナーとが互いに略直交する状態に、並べながら敷設して床下地材の上に複数個の床仕上げ材を固定するから、面ファスナーの位置を気にすることなく施工することができ施工し易いし、床仕上げ材がずれず、しかも、床仕上げ材を剥がし易い状態になっていて、補修や補正や交換し易い。
【００３９】
請求項５記載の発明は、床下地材の上面には、複数個のテープ状の面ファスナーを床仕上げ材の長さ以下の距離を隔てて略平行に取り付け、側縁の端面にさねを有する長尺の床仕上げ材の下面には、両側の縁から離れた位置にテープ状の面ファスナーを長さ方向に、取り付け、床仕上げ材を斜めにし、且つ、床下地材側の面ファスナーと床仕上げ材側の面ファスナーとが互いに略直交する状態にして、床仕上げ材の側縁を、床下地材の上に既に敷設されている床仕上げ材の側縁の手前に当接させ、この床仕上げ材を前進させて床仕上げ材のさねと既に敷設されている床仕上げ材のさねとを嵌合させながら、床下地材の上に倒して固定することを繰り返して、床下地材の上に複数個の床仕上げ材を敷設するから、請求項４記載の発明と同様に、面ファスナーの位置を気にすることなく、しかも、床仕上げ材側の面ファスナーの係止片と床下地材側の面ファスナーの係止片とを係止し合わせることなく、既に敷設されている床仕上げ材のさねと床仕上げ材のさねとを嵌合させて複数個の床仕上げ材を敷設することができ、極めて施工し易い。また、床仕上げ材がずれず、しかも、床仕上げ材を剥がし易い状態になっていて、補修や補正や交換し易い。
【発明を実施するための最良の形態】
【００４０】
以下、本発明を実施するための最良の形態を実施例で説明する。
【実施例１】
【００４１】
図１〜図４は本発明を床暖房用床構造に適用した一実施例であって、図１は床暖房用床を示す断面図、図２は、床暖房パネルの上に床仕上げ材を取り付けている状態を示す床の平面図、図３は、溝と温水パイプを省略した床暖房パネルの斜視図、図４（ａ）は、上面を上にした状態の面ファスナー付床仕上げ材を示す斜視図、（ｂ）は、下面を上にした状態の面ファスナー付床仕上げ材を示す斜視図である。
【００４２】
図１〜図４において、１は部屋の床暖房用の床であり、この床暖房用の床１は、図１に示すように、床根太２の上に床下地材である床暖房パネル３が取り付けられ、この床暖房パネル３の上に床仕上げ材４が敷設され、面ファスナー５で固定された縦３ｍ４０ｃｍ、横６ｍ８０ｃｍの矩形状の床である。
床暖房パネル３は、縦略６０ｃｍ、横略６０ｃｍ、厚み略１０ｃｍの板状体であり、図１や図３に示すように、板状のポリスチレン樹脂発泡体の断熱材３１と、この断熱材３１の上面と下面に設けられた合板３２とからなり、上面には、図３には示されてないが、溝３３が設けられ、この溝３３の中に温水パイプ３４が挿入されている。なお、この溝３３は複数の床暖房パネル３に蛇行した状態に設けられ、温水パイプ３４は、この床暖房パネル３の蛇行している溝３３の中に挿入されている。従って、場所によって溝３３と温水パイプ３４の位置が異なるので、図３には、この溝３３と温水パネプ３４を示してない。そして、この温水パイプ３４は、床暖房パネル３を床根太２の上に取り付けた後に、溝３３の中に挿入されるのである。
【００４３】
床仕上げ材４は、図４に示すように、幅略３０ｃｍ、長さ略１８０ｃｍ、厚み略１．２ｃｍの合板製の板状体であり、上面には図示しない化粧材が設けられているし、両側縁の端面には、さね４５が設けられている。
そして、この床仕上げ材４は、複数個の床暖房パネル３の上に、隣合う床仕上げ材４のさねを嵌合した状態に並べられて、取り付けられている。
この床暖房パネル３と床仕上げ材４とは面ファスナー５で固定されている。
面ファスナー５は、幅略５ｃｍのテープ状の長尺体であり、基布と，この基布の表面から突出している多数のループ状の係止片とフック状の係止片とからなる。
【００４４】
そして、この面ファスナー５には、床暖房パネル側の面ファスナー５−１と床仕上げ材側の面ファスナー５−２とがある。
床暖房パネル側の面ファスナー５−１は、図２に示すように、床暖房パネルの上面に、略平行に縦方向に長く取り付けられている。なお、この面ファスナー５−１の位置は、横方向の６０ｃｍの床暖房パネル３に２個ずつ配置されるようにする。
また、床仕上げ材側の面ファスナー５−２は、床仕上げ材４の下面の両側に、側縁から若干内側に長手方向に取り付けられて、側縁には設けられてない。
【００４５】
そして、この床仕上げ材４は、図２に示すように、床仕上げ材４の長さ方向が床暖房用床１の横方向になるように、取り付けられている。従って、床暖房パネル側の面ファスナー５−１と床仕上げ材側の面ファスナー５−２とが互いに略直交する状態になっている。
従って、この床暖房用床１では、横方向の長さが略３０ｃｍの１個の床暖房パネル３に２個ずつ配置された状態に取り付けられた床暖房側の面ファスナー５−１と、横方向の長さが略１８０ｃｍの床仕上げ材４に長さ方向に取り付けられた床仕上げ材側の面ファスナー５−２とは、必ず交差し、この交差した両方の面ファスナー５−１、５−２の係止片が係止し合って、床仕上げ材４が床暖房パネル３の上に固定されている。
【００４６】
交差している場所の面積は１箇所当たり略２５ｃｍ2 であり、この交差している場所は、図２に示すように、多くの場合、１個の床仕上げ材４に対して１２箇所あるので、１個の床仕上げ材４につき交差している場所の合計の面積は略３００ｃｍ2 である。そして、１個の床仕上げ材４について、面ファスナー５が交差している場所の面積は略５４００ｃｍ2 であるので、床仕上げ材４の面積に対する交差している場所の割合は略５．６％となる。
このように、１個の床仕上げ材４は床暖房床パネル３に、面ファスナー５が交差している略５．６％の面積で固定されているで、この床仕上げ材４は左右にずれず、しかも、床仕上げ材４を剥がし易い状態に、取り付けられている。
また、床仕上げ材４の側縁には面ファスナー５−２がないので、この床仕上げ材４と床暖房床３との間に面ファスナー５−２だけの隙間があり、指やバールの先端等を挿入して持ち上げ易い構造になっている。
【００４７】
次に、この床暖房用床１の施工方法及び作用について説明する。
先ず、上記のように、床暖房パネル３の上面の縦方向に２０個のテープ状の面ファスナー５−１を略平行に取り付け、図４に示すように、２個のテープ状の面ファスナー５−２を、側縁の端面にさね４５を有する長尺の床仕上げ材４の下面の両側の縁から離れた位置に、長さ方向に、取り付ける。
次に、この床仕上げ材４を斜めにし、且つ、床暖房パネル側の面ファスナー５−１と床仕上げ材側の面ファスナー５−２とが互いに略直交する状態にして、側縁を既に敷設されている床仕上げ材４の側縁の手前に当接させ、この床仕上げ材４を前進させて床仕上げ材４のさね４５と既に敷設されている床仕上げ材４のさね４５とを嵌合させながら、床暖房パネル３の上に倒す。
【００４８】
すると、床仕上げ材側の面ファスナー５−２と床暖房パネル側の面ファスナー５−１とを係止し合うことなく、既に敷設されている床仕上げ材４のさね４５と床仕上げ材４のさね４５とを嵌合させることができるし、床暖房パネル３の上に床仕上げ材４を倒すと、床暖房パネル側の面ファスナー５−１と床仕上げ材側の面ファスナー５−２とが重なり、両者の係止片が係止し合って床仕上げ材４が床暖房パネル３に固定される。
このようにして、次の床仕上げ材４を同様にして床暖房パネル３に敷設する。
このような操作を繰り返して、複数個の床仕上げ材４を敷設することができる。
このようにすると、床仕上げ材４のさね４５を既に敷設されている床仕上げ材４のさね４５に、両方の面ファスナー５の係止片を係止し合わせることなく、嵌合させることができ、床下地材の上に床仕上げ材４を極めて簡単に敷設することができる。
【００４９】
このようにして施工した床暖房用床構造では、床仕上げ材４が左右にずれず、しかも、床仕上げ材４を剥がし易い状態になって、床仕上げ材４が床下地材３の上に固定されているし、この床仕上げ材４と床暖房床３との間に指やバールの先端等を挿入して持ち上げ易い構造になっている。
従って、過ってずれた位置に床仕上げ材４を床暖房パネルに取り付けても、面ファスナー５−２のない側縁を持って床仕上げ材４を持ち上げて、床仕上げ材４を床暖房パネル３から剥がて補正することができるし、又、床仕上げ材４を剥がして簡単に補修したり交換することができる。
【実施例２】
【００５０】
図５は本発明の他の実施例であって、（ａ）は、上面を上にした状態の面ファスナー付床仕上げ材を示す斜視図、（ｂ）は、下面を上にした状態の面ファスナー付床仕上げ材を示す斜視図である。
この図５に示す実施例２を図１〜図４に示す実施例１と比較すると、床仕上げ材４ａの構造が異なるだけであるので、この床仕上げ材４ａを中心にして説明する。
【００５１】
即ち、この実施例２に使用する床仕上げ材４ａは、幅略３０ｃｍ、長さ略１８０ｃｍ、厚み略１．２ｃｍの合板製の板状体であり、上面には図示しない化粧材が設けられているし、両側縁の端面にはさね４５ａが設けられていることは実施例１と略同じであるが、下面に取り付けられている面ファスナー５ａ−２が短手方向の略中央に長手方向に１個だけ取り付けられていることが異なる。
その他の構造及び施工方法は略同じであるので説明を省略する。
【００５２】
この施工した床暖房用床構造では、床仕上げ材４ａは、両側の端面にさね４５ａを有する長さが略１８０ｃｍ、幅が略３０ｃｍの板体であり、床仕上げ材側の面ファスナー５ａ−２は、床仕上げ材４ａの略中央に取り付けられ、床暖房側の面ファスナーと床仕上げ材側の面ファスナー５ａ−２の幅は、略５ｃｍであり、この交差している場所は、多くの場合、１個の床仕上げ材４ａに対して６箇所あるので、略直交する床仕上げ材側の面ファスナー５ａ−２と床暖房パネル側の面ファスナーの交差した場所の合計の面積は略１５０ｃｍ2 となり、床仕上げ材４ａの面積が略５４００ｃｍ2 からみて極めて小さい（２．８％）。
【００５３】
このように、交差している床仕上げ材の２．８％に当たる面積で１個の床仕上げ材４ａが床暖房パネルに取り付けられているので、この床仕上げ材４は左右にずれず、しかも、床仕上げ材４ａを剥がし易い状態になっている。
そして、床仕上げ材４ａの側縁には面ファスナー５ａ−２がないので、敷設されている床仕上げ材４ａを持ち上げ易い。従って、この床暖房用床は、面ファスナー５ａ−２のない側縁を持って床仕上げ材４ａを持ち上げて、剥がし易い状態の床仕上げ材４ａを床暖房パネルから剥がして、ずれた位置を補正したり、補修したり、交換することが簡単にできる。
【００５４】
この実施例２では、実施例１と同様な施工方法で施工する。
すると、面ファスナー５ａは必ず交差するので、面ファスナーの位置を気にすることなく施工することができるし、床暖房パネル側の面ファスナーの係止片と床仕上げ材側の面ファスナー５ａ−２の係止片とを係止し合わせることなく、既に敷設されている床仕上げ材４のさね４５ａと床仕上げ材４ａのさね４５ａとを嵌合させることができ、複数個の床仕上げ材４ａを床暖房パネルの上に簡単に敷設することができる。
【実施例３】
【００５５】
図６は本発明の別の実施例であって、（ａ）は、上面を上にした状態の面ファスナー付床仕上げ材を示す斜視図、（ｂ）は、下面を上にした状態の面ファスナー付床仕上げ材を示す斜視図である。
この図６に示す実施例３を図１〜図４に示す実施例１と比較すると、短辺が部屋の壁に接する床仕上げ材４ｂの構造が異なるだけであるので、この床仕上げ材４ｂを中心にして説明する。
【００５６】
即ち、この実施例３に使用する床仕上げ材４ｂは、幅略３０ｃｍ、長さ略１８０ｃｍ、厚み略１．２ｃｍの合板製の板状体であり、上面には図示しない化粧材が設けられているし、両側縁の端面にはさね４５ｂが設けられていることは実施例１と略同じであるが、この短辺が壁に接する床仕上げ材４ｂには、図６に示すように、壁に接する側縁の下面に壁側の面ファスナー５ｂ−３が短手方向に取り付けられていることが異なる。
その他の構造及び施工方法は略同じであるので説明を省略する。
【００５７】
この実施例３に示す実施例の作用は実施例１の作用を有するが、更に、この施工した床暖房用床では、床仕上げ材５ｂの長さ方向には、テープ状の床仕上げ材側の面ファスナー５ｂ−２が存在し、幅方向には、テープ状の壁側の面ファスナー５ｂ−３が存在する、即ち、床仕上げ材４ｂの壁に接するすべての側縁部にファスナー５ｂが存在し、部屋の壁側の周囲から塵等が床仕上げ材４ｂと床暖房パネルとの間に入り難く、この床仕上げ材４ｂと床暖房パネルの間が汚れず衛生的である。
【産業上の利用可能性】
【００５８】
この実施例では、床暖房用床構造について説明したが、床暖房用でない通常の床構造であってもよい。
また、部屋の大きさ、床暖房パネル、床仕上げ材、面ファスナー等は実施例に使用したものに限らず、適宜、変更することができる。
例えば、部屋の大きさが大きくてもよいし、床暖房パネルや床仕上げ材の構造や大きさが異なるものであってもよいし、面ファスナーの数や幅が変更されていてもよい。
【００５９】
また、この実施例では床根太が床暖房パネルの下側に設けられているが、特許文献１に記載あるように、床暖房パネルの中に設けられていてもよい。
また、床暖房パネルの構造が異なっていてもよい。例えば、床暖房パネルの材料が異なっていてもよいし、温水パイプが断熱材の中に挿入してもよい。また、この温水パイプに替えてニクロム線等の発熱体であってもよい。
また、側縁の端面にさねを有する床仕上げ材について説明したが、さねのない床仕上げ材であってもよい。
【図面の簡単な説明】
【００６０】
【図１】実施例１の床暖房用床を示す断面図である。
【図２】実施例１の床暖房パネルの上に床仕上げ材を取り付けている状態を示す床の平面図である。
【図３】実施例１の床暖房パネルの斜視図である。
【図４】（ａ）は、実施例１の上面を上にした状態の面ファスナー付床仕上げ材を示す斜視図、（ｂ）は、下面を上にした状態の面ファスナー付床仕上げ材を示す斜視図である。
【図５】（ａ）は、実施例２の上面を上にした状態の面ファスナー付床仕上げ材を示す斜視図、（ｂ）は、下面を上にした状態の面ファスナー付床仕上げ材を示す斜視図である。
【図６】（ａ）は実施例３の上面を上にした状態の面ファスナー付床仕上げ材を示す斜視図、（ｂ）は、下面を上にした状態の面ファスナー付床仕上げ材を示す斜視図である。
【符号の説明】
【００６１】
１              床暖房用床
３              床下地材（床暖房パネル）
４、４ａ、４ｂ  床仕上げ材
４５            さね
５              面ファスナー
５−１          床暖房パネル側の面ファスナー
５−２、５ａ−２、５ｂ−２    床仕上げ材側の面ファスナー
５ｃ−３        壁側の面ファスナー
【図１】
2005226357.tif 000003
【図２】
2005226357.tif 000004
【図３】
2005226357.tif 000005
【図４】
2005226357.tif 000006
【図５】
2005226357.tif 000007
【図６】
2005226357.tif 000008